(57)【要約】      （修正有）【課題】サブ鏡をメイン鏡の前に掛ける時、サブ鏡とメイン鏡との間の距離を短縮することができるサブ鏡用挟持装置を提供する。【解決手段】上下両端縁と左右両端縁とを有し、ほぼ鉛直面に沿って直立している前板と、該前板の上端縁から水平に延伸してなっている上板と、上板の延伸端縁から下へ延伸していて前板及び上板と合わせてそれらの間にサブ鏡を保持することができる第１の保持空間をなす後板とからなっている挟持部と、上板の延伸端縁から前板が遠ざかる方向へ水平に延伸してなってから下へ折り曲げられて前記後板との間にメイン鏡を保持することができる第２の保持空間をなすように延伸してなっている支持部とを有し、前板及び後板には、それぞれ第１の突出部及び第２の突出部が前後から第１の保持空間に保持されるサブ鏡へ突出するように形成されていてサブ鏡を挟持することができる。【選択図】図２
0003112993.tif 000002
【実用新案登録請求の範囲】
【請求項１】
サブ鏡を挟持して眼鏡のメイン鏡の前に掛けるサブ鏡用挟持装置であって、
上下両端縁と左右両端縁とを有し、ほぼ鉛直面に沿って直立している前板と、該前板の上端縁から水平に延伸してなっている上板と、該上板の延伸端縁から下へ延伸していて前記前板及び前記上板と合わせてそれらの間にサブ鏡を保持することができる第１の保持空間をなした後板とからなっている挟持部と、
前記上板の延伸端縁近くから前記前板が遠ざかる方向へ水平に延伸してなってから下へ折り曲げられて前記後板との間にメイン鏡を保持することができる第２の保持空間をなすように延伸してなっている支持部とを有し、
前記前板及び前記後板には、それぞれ第１の突出部及び第２の突出部が前後から前記第１の保持空間に保持されるサブ鏡へ突出するように形成されていてサブ鏡を挟持することができることを特徴とする、眼鏡のサブ鏡用挟持装置。
【請求項２】
前記第１の突出部は、前記前板の左右両端縁に沿ってそれぞれ一列に排列した複数の歯からなっており、
前記第２の突出部は、前記後板の左右両端縁に沿ってそれぞれ前記前板の左右端両縁の歯と交錯するように一列に排列した複数の歯からなっていることを特徴とする、請求項１に記載の眼鏡のサブ鏡用挟持装置。
【請求項３】
前記第１の突出部は、更に、前記前板の下端縁に沿って一列に排列した複数の歯を有し、
また、前記第２の突出部は、更に、前記後板の下端縁に沿って一列に排列した複数の歯を有することを特徴とする、請求項２に記載の眼鏡のサブ鏡用挟持装置。
【請求項４】
前記後板は、前記上板の延伸端縁から間隔をあけるように左右二股に分かれてなった左右２板からなっており、
前記第２の突出部は、それぞれ前記左板の左端縁と前記右板の右端縁に沿って排列した複数の歯からなっていることを特徴とする、請求項３に記載の眼鏡のサブ鏡用挟持装置。
【請求項５】
前記前板は前記後板より下方へ延伸していることを特徴とする、請求項１乃至４のいずれか１項に記載の眼鏡のサブ鏡用挟持装置。
【請求項６】
前記支持部の前記上板との連結端縁が、前記上板と一体的に形成されていることを特徴とする、請求項２に記載の眼鏡のサブ鏡用挟持装置。
【請求項７】
前記第１の突出部は、前記前板の左右両端縁と下端縁に沿って連続的な刃先になっており、
前記第２の突出部は、前記後板の左右両端縁と下端縁に沿って連続的な刃先になっていることを特徴とする、請求項１に記載の眼鏡のサブ鏡用挟持装置。
【請求項８】
支持部は上板の延伸端縁近くの後板上に溶接により連結されていることを特徴とする、請求項１に記載の眼鏡のサブ鏡用挟持装置。
【考案の詳細な説明】
【技術分野】
【０００１】
本考案は、眼鏡のサブ鏡用挟持装置に関し、特に、サブ鏡を挟持して眼鏡のメイン鏡の前に掛けるサブ鏡用挟持装置に関する。
【背景技術】
【０００２】
従来の眼鏡のサブ鏡用挟持装置は、米国特許第６２８００２９号に開示されているようなものがある。このサブ鏡用挟持装置１１は、図１に示すように、ほぼ逆Ｕ字形に折り曲げられてサブ鏡１を前後から保持する空間１１０をなしているチャンネル部１１１と、チャンネル部１１１の後端縁からほぼＵ字形に折り曲げられてなっている湾曲部１１２と、湾曲部１１２の延伸端縁から後方へ折り曲げられて延伸していてメイン鏡２に係止するブラケット部１１３と、チャンネル部１１１の側縁に形成されていてサブ鏡へ挿入する突起１１４とからなっている。
【考案の開示】
【考案が解決しようとする課題】
【０００３】
しかしながら、このサブ鏡用挟持装置のブラケット部１１３をメイン鏡２のフレーム２１に係止してサブ鏡１をメイン鏡２の前に掛ける時、サブ鏡１とメイン鏡２との間に、Ｕ字形の湾曲部１１２が存在するので、サブ鏡１とメイン鏡２との間の距離が大きくなり、眼鏡全体の外観に悪影響を与えるという欠点がある。
【０００４】
上記に鑑みて、本考案は、サブ鏡をメイン鏡の前に掛ける時、サブ鏡とメイン鏡との間の距離を短縮することができるサブ鏡用挟持装置を提供しょうとすることを目的とする。
【課題を解決するための手段】
【０００５】
前記目的を達成するために、本考案は、サブ鏡を挟持して眼鏡のメイン鏡の前に掛けるサブ鏡用挟持装置であって、上下両端縁と左右両端縁とを有し、ほぼ鉛直面に沿って直立している前板と、該前板の上端縁から水平に延伸してなっている上板と、該上板の延伸端縁から下へ延伸していて前記前板及び前記上板と合わせてそれらの間にサブ鏡を保持することができる第１の保持空間をなした後板とからなっている挟持部と、前記上板の延伸端縁近くから前記前板が遠ざかる方向へ水平に延伸してなってから下へ折り曲げられて前記後板との間にメイン鏡を保持することができる第２の保持空間をなすように延伸してなっている支持部とを有し、前記前板及び前記後板には、それぞれ第１の突出部及び第２の突出部が前後から前記第１の保持空間に保持されるサブ鏡へ突出するように形成されていてサブ鏡を挟持することができることを特徴とする眼鏡のサブ鏡用挟持装置を提供する。
【考案の効果】
【０００６】
上記構成による本考案の眼鏡のサブ鏡用挟持装置は、従来のような湾曲部に代えて、前記上板の延伸端縁から前記前板が遠ざかる方向へ水平に延伸してなってから下へ折り曲げられて前記後板との間にメイン鏡を保持することができる第２の保持空間をなす支持部が形成されているので、サブ鏡をメイン鏡の前に掛ける時、サブ鏡とメイン鏡との間の距離は、前記後板の厚さに相当するほど短縮されることができる。
【考案を実施するための最良の形態】
【０００７】
以下、図面を参照しながら、本考案の眼鏡のサブ鏡用挟持装置の好ましい実施形態を説明する。
【０００８】
先ず、図２乃至図４を参照して本考案の第１の実施形態を説明する。
【０００９】
本実施形態における眼鏡のサブ鏡用挟持装置４は、プレス加工により図３に示すような金属板４Ａを図２に示すような構造に形成したものである。
【００１０】
図２に示すように、眼鏡のサブ鏡用挟持装置４は、挟持部４１と、支持部４２とを有する。
【００１１】
挟持部４１は、上下両端縁と左右両端縁とを有し、ほぼ鉛直面に沿って直立している前板４１１と、該前板４１１の上端縁から水平に延伸してなっている上板４１２と、該上板４１２の延伸端縁から下へ延伸していて前板４１１及び上板４１２と合わせてそれらの間にサブ鏡３（図４参照）を保持することができる第１の保持空間４１４をなした後板４１３とからなっている。本実施形態において、後板４１３は、上板４１２の延伸端縁から間隔をあけるように左右二股に分かれてなった左右２板からなっている。そして、前板４１１は後板４１３より下方へ延伸している。
【００１２】
また、支持部４２は、上板４１２の延伸端縁から一体的に前板４１１から遠ざかる方向へ水平に延伸してなってから下へ折り曲げられて後板４１３との間にメイン鏡５（図４参照）を保持することができる第２の保持空間４２１をなすように延伸してなっている（この実施例では、支持部４２は、後板４１３における左右二板の間の隙間と対面しているとは言え、やはり後板４１３全体と第２の保持空間４２１をなしている）。即ち、支持部４２の上板４１２との連結端縁は、上板４１２と一体的に形成されている。
【００１３】
前板４１１及び後板４１３には、それぞれ第１の突出部４１５及び第２の突出部４１６が前後から第１の保持空間４１４に保持されるサブ鏡３へ突出するように形成されていてサブ鏡３を挟持することができる。本実施形態において、第１の突出部４１５は、前板４１１の左右両端縁及び下端縁に沿ってそれぞれ一列に排列し、且つ後ろの方へ（即ち第１の保持空間４１４の方へ）延伸した複数の歯からなっている。第２の突出部４１６は、それぞれ後板４１３の左板の左端縁と右板の右端縁に沿って前板４１１の左右端両縁の歯と交錯するように一列に排列し、且つ前の方へ（即ち第１の保持空間４１４の方へ）延伸した複数の歯と、それぞれ左板の下端縁及び右板の下端縁に沿って一列に排列し、且つ前の方へ（即ち第１の保持空間４１４の方へ）延伸した複数の歯とからなっている。このように、サブ鏡３を第１の空間４１４に保持する時、第１の突出部４１５と第２の突出部４１６とでサブ鏡３を挟持することができる。図４に示されているのは、サブ鏡３の突出部４１５，４１６に対応しているところには穴が形成されているので、突出部４１５，４１６がそれぞれ穴に挿入してサブ鏡３を係止している。
【００１４】
このように、図４に示すように、支持部４２をメイン鏡５に係止してサブ鏡３をメイン鏡５の前に掛ける時、サブ鏡３とメイン鏡５との間の距離は、後板４１３の厚さに相当するので、従来よりサブ鏡３とメイン鏡５との間の距離を短縮することができる。
【００１５】
次に、図５及び図６に示すのは本考案の眼鏡のサブ鏡用挟持装置の第２の実施形態である。本実施形態における眼鏡のサブ鏡用挟持装置は、プレス加工により図６に示すような金属板４Ｂを図５に示すような構造に形成したものである。本実施形態の前記第１の実施形態と異なる点は、第１の突出部４１７は、前板４１１の左右両端縁と下端縁に沿って連続的な刃先になっており、第２の突出部４１８は、後板４１３の左右両端縁と下端縁に沿って連続的な刃先になっていることにある。
【００１６】
次に、図７に示すのは、本考案の眼鏡のサブ鏡用挟持装置の第３の実施形態である。本実施形態において、前記第２の実施形態とほぼ同様に構成されているが、前記第２の実施形態と異なる点は、後板４１９は左右２板に分かれてなったものでなく、単一の板体からなったものであり、また、支持部４２は上板４１２の延伸端縁近くの後板４１９上に溶接により連結されていることにある。
【産業上の利用可能性】
【００１７】
上述した実施形態から分かるように、本発明の眼鏡のサブ鏡用挟持装置は、従来のような湾曲部に代えて、前記上板の延伸端縁から前記前板が遠ざかる方向へ水平に延伸してから下へ折り曲げられて前記後板との間にメイン鏡を保持することができる第２の保持空間をなした支持部が形成されているので、サブ鏡をメイン鏡の前に掛ける時、サブ鏡とメイン鏡との間の距離は、前記後板の厚さに相当するほどに短縮されることができる。
【図面の簡単な説明】
【００１８】
【図１】従来の眼鏡のサブ鏡用挟持装置の使用状態を示す側面図
【図２】本考案の第１の実施形態の眼鏡のサブ鏡用挟持装置を示す斜視図
【図３】プレスにより前記第１の実施形態の眼鏡のサブ鏡用挟持装置を形成するための金属板を示す上面図
【図４】前記第１の実施形態の眼鏡のサブ鏡用挟持装置によってサブ鏡をメイン鏡の前に掛けた状態を示す側面断面図
【図５】本考案の第２の実施形態の眼鏡のサブ鏡用挟持装置を示す斜視図
【図６】プレスにより前記第２の実施形態の眼鏡のサブ鏡用挟持装置を形成するための金属板を示す上面図
【図７】本考案の第３の実施形態の眼鏡のサブ鏡用挟持装置を示す斜視図
【符号の説明】
【００１９】
３      サブ鏡
４      眼鏡のサブ鏡用挟持装置
４Ａ        金属板
４Ｂ        金属板
４１        挟持部
４１１  前板
４１２  上板
４１３  後板
４１４  第１の保持空間
４１５  第１の突出部
４１６  第２の突出部
４１７  第１の突出部
４１８  第２の突出部
４１９  後板
４２        支持部
４２１  第２の保持空間
【図１】
0003112993.tif 000003
【図２】
0003112993.tif 000004
【図３】
0003112993.tif 000005
【図４】
0003112993.tif 000006
【図５】
0003112993.tif 000007
【図６】
0003112993.tif 000008
【図７】
0003112993.tif 000009